(57)【要約】【課題】スマートフォンや一般電話のようにシングルライン環境であっても、第３者による通話のモニタリングを行うことが出来る電話装置を提供する。【解決手段】着信電話機１は着信拒否番号登録部１０３および電話帳登録部１０４に登録されていない未登録電話機４から着信を受けると、着信鳴動せずにモニタリング機２へＰｅｅｒ  Ｔｏ  Ｐｅｅｒ通信により着信許可要求コマンドを送信する。そして、モニタリング機２から着信許可応答コマンドを受信することにより着信電話機１は着信鳴動する。さらに、モニタリング機２は、着信電話機１と未登録電話機４の通話内容をＰｅｅｒ  Ｔｏ  Ｐｅｅｒ通信を介してモニタリングでき、通話内容から不審者と判断した場合には通話切断指示コマンドを送信する。そして、通話切断指示コマンドを受信した着信電話機１は切断ガイダンスの送出および当該通話の切断を行う。【選択図】    図１
2015082785.tif 000002
【特許請求の範囲】
【請求項１】
ネットワーク上で対等な関係にある通信装置間を相互に直接接続してデータを送受信する通信手段であるＰｅｅｒ  ｔｏ  Ｐｅｅｒ通信手段を備え、他電話装置に自電話装置による通話音声をモニタさせる電話装置であって、
着信が到来した場合に当該着信の発信元の電話番号を抽出し、自電話装置が備えるデータベースまたは自電話装置と接続されている所定のデータベースにアクセスし、前記抽出した電話番号からの着信は不審着信か否かを判定する発信元電話番号判定手段と、
当該着信の発信元の電話番号を抽出できない場合に、予め登録された他電話装置との前記Ｐｅｅｒ  ｔｏ  Ｐｅｅｒ通信手段を起動するＰｅｅｒ  ｔｏ  Ｐｅｅｒ通信起動手段と、
前記予め登録された他電話装置へ前記Ｐｅｅｒ  ｔｏ  Ｐｅｅｒ通信手段の開始を要求するＰｅｅｒ  ｔｏ  Ｐｅｅｒ通信開始要求コマンドを送信するＰｅｅｒ  ｔｏ  Ｐｅｅｒ通信開始要求コマンド送信手段と、
前記起動したＰｅｅｒ  ｔｏ  Ｐｅｅｒ通信手段を介して、自電話装置と当該着信の発信元との間で送受信される通話音声情報を前記予め登録された他電話装置へ送信する対他電話装置通話音声情報送信手段と、を有することを特徴とする通話モニタ機能を有する電話装置。
【請求項２】
請求項１に記載の電話装置であって、
前記送信したＰｅｅｒ  ｔｏ  Ｐｅｅｒ通信開始要求コマンドに対して、前記予め登録された他電話装置が応答しない場合に、自電話装置は、着信鳴動または着信表示を起動しない、またはオフフックを禁止することを特徴とする通話モニタ機能を有する電話装置。
【請求項３】
ネットワーク上で対等な関係にある通信装置間を相互に直接接続してデータを送受信する通信手段であるＰｅｅｒ  ｔｏ  Ｐｅｅｒ通信手段を備え、他電話装置による通話音声をモニタする電話装置であって、
予め登録された他電話装置から前記Ｐｅｅｒ  ｔｏ  Ｐｅｅｒ通信手段の開始を要求するＰｅｅｒ  ｔｏ  Ｐｅｅｒ通信開始要求コマンドを受信するＰｅｅｒ  ｔｏ  Ｐｅｅｒ通信開始要求コマンド受信手段と、
前記受信したＰｅｅｒ  ｔｏ  Ｐｅｅｒ通信開始要求コマンドに応答し、自電話装置の前記Ｐｅｅｒ  ｔｏ  Ｐｅｅｒ通信手段を起動するＰｅｅｒ  ｔｏ  Ｐｅｅｒ通信起動手段と、
前記起動したＰｅｅｒ  ｔｏ  Ｐｅｅｒ通信手段を介して、前記予め登録された他電話装置から通話音声情報を受信し、前記受信した通話音声情報を通話モニタ音声として再生する通話モニタ音声再生手段と、を有することを特徴とする通話モニタ機能を有する電話装置。
【発明の詳細な説明】
【技術分野】
【０００１】
本発明は、高齢者に対する悪意呼による被害を防止する電話装置に関する。
【背景技術】
【０００２】
近年、電話を使って一人暮らしの高齢者を狙った詐欺や強引な勧誘が社会問題となっている。このような悪意呼による被害を未然に防ぐために、特許文献１には、電話装置が一旦着信呼保留し、保留した呼を第３者へ転送し、第３者が当該発信者と通話して通話内容から発信者の素性を確認する技術がある。
【０００３】
しかしながら、特許文献１に記載された技術は、電話装置が保留・転送処理を行うために電話装置は２以上の電話回線を収容したマルチライン環境でなければならない。したがって、スマートフォンや単独電話機等のシングルライン環境の電話装置では特許文献１の技術は適用できない。
【先行技術文献】
【特許文献】
【０００４】
【特許文献１】特開２０１０−２８７９３８号公報
【発明の概要】
【発明が解決しようとする課題】
【０００５】
そこで、本発明の課題は、スマートフォンや一般電話のようにシングルライン環境であっても第３者による通話のモニタリングを行うことが出来る電話装置を提供することにある。
【課題を解決するための手段】
【０００６】
上記課題を解決するために、本発明はネットワーク上で対等な関係にある通信装置間を相互に直接接続してデータを送受信する通信手段であるＰｅｅｒ  ｔｏ  Ｐｅｅｒ通信手段を備え、他電話装置に自電話装置による通話音声をモニタさせる電話装置であって、着信が到来した場合に当該着信の発信元の電話番号を抽出し、自電話装置が備えるデータベースまたは自電話装置と接続されている所定のデータベースにアクセスし、前記抽出した電話番号からの着信は不審着信か否かを判定する発信元電話番号判定手段と、前記発信元電話番号判定手段が前記抽出した電話番号からの着信は不審着信であると判定した場合または当該着信の発信元の電話番号を抽出できない場合に、予め登録された他電話装置との前記Ｐｅｅｒ  ｔｏ  Ｐｅｅｒ通信手段を起動するＰｅｅｒ  ｔｏ  Ｐｅｅｒ通信起動手段と、前記予め登録された他電話装置へ前記Ｐｅｅｒ  ｔｏ  Ｐｅｅｒ通信手段の開始を要求するＰｅｅｒ  ｔｏ  Ｐｅｅｒ通信開始要求コマンドを送信するＰｅｅｒ  ｔｏ  Ｐｅｅｒ通信開始要求コマンド送信手段と、前記起動したＰｅｅｒ  ｔｏ  Ｐｅｅｒ通信手段を介して、自電話装置と当該着信の発信元との間で送受信される通話音声情報を前記予め登録された他電話装置へ送信する対他電話装置通話音声情報送信手段と、を有することを特徴とする。
【発明の効果】
【０００７】
本発明によれば、身元不明な相手からの着信を受付けた電話装置がＰｅｅｒ  ｔｏ  Ｐｅｅｒ通信を介して自電話装置の利用者と身元不明な相手との通話内容を第３者の通信端末へ送信する。これにより第３者は、電話装置の利用者と身元不明な相手の通話内容をシングルライン環境であってもモニタリングすることができる。
【図面の簡単な説明】
【０００８】
【図１】図１は、本発明の着信電話機とモニタリング機を含む電話システムの全体構成図および、着信電話機とモニタリング機の機能ブロック図である。
【図２】図２は、本発明の着信電話機とモニタリング機を含む電話システムのシーケンス図である。
【図３】図３は、本発明の着信電話機のフローチャートである。
【図４】図４は、本発明のモニタリング機のフローチャートである。
【発明を実施するための形態】
【０００９】
以下、本発明を実施する形態について、図面を用いて説明する。
【００１０】
図１は、本発明の着信電話機１とモニタリング機２を含む電話システムの全体構成図および、着信電話機１とモニタリング機２の機能ブロック図である。
【００１１】
図示するように、本発明の電話システムはＩＰ網３に接続する着信電話機１と不審番号ＤＢ６と、ＩＰ網３に接続して無線通信を行う無線基地局５に収容されたモニタリング機２と未登録電話機４から構成される。
【００１２】
着信電話機１は、Ｐｅｅｒ  ｔｏ  Ｐｅｅｒ通信機能と、Ｐｅｅｒ  ｔｏ  Ｐｅｅｒ通信機能を介してモニタリング機２に通話音声を送信する機能と、モニタリング機２からの要求に応じて通話を切断する強制切断機能を有する電話装置である。
【００１３】
モニタリング機２は、Ｐｅｅｒ  ｔｏ  Ｐｅｅｒ通信機能と、着信電話機１からの通話音声をモニタするモニタリング機能と、着信電話機１に通話切断等の呼制御コマンドを送信する呼制御コマンド送信機能を有する無線電話機である。
【００１４】
未登録電話機４は、着信電話機１とモニタリング機２の電話帳に登録されていない電話機である。
【００１５】
不審番号ＤＢ６は、不審者の電話番号が複数登録されたデータベースであり、電話番号検索要求を受付けると、データベースに不審者の電話番号が登録されているか検索して、電話番号検索結果を要求元に送信する。
【００１６】
次に着信電話機１の機能ブロックについて説明する。図示するように、着信電話機１は、通信制御部１０１、端末制御部１０２、着信拒否番号登録部１０３、電話帳登録部１０４、発信元電話番号抽出部１０５、音声ガイダンス送出部１０６、Ｐｅｅｒ  ｔｏ  Ｐｅｅｒ処理部１０７、通話処理部１０８、呼出鳴動部１０９、表示部１１０、操作部１１１、Ｐｅｅｒ  ｔｏ  Ｐｅｅｒ接続先登録部１１２とから構成される。
【００１７】
通信制御部１０１はＩＰ網３と接続され、端末制御部１０２からの制御に基づき発信、着信、通話等の通話に係る呼制御全般ならびにデータ通信に係る通信制御全般を行う。
【００１８】
端末制御部１０２は装置内の各ブロックと接続し端末に係る制御全般を行う。
【００１９】
着信拒否番号登録部１０３は着信を拒否する相手の電話番号が登録されており、端末制御部１０２からの指示に従って着信を拒否する相手の電話番号をリード／ライトする。
【００２０】
電話帳登録部１０４は着信電話機１が有する電話帳を登録し、端末制御部１０２からの指示に従って電話帳をリード／ライトする。
【００２１】
発信元電話番号抽出部１０５は通信制御部１０１からの着信情報より着信の相手電話番号（以降、発信元電話番号と呼称）を抽出し端末制御部１０２に渡す。
【００２２】
音声ガイダンス送出部１０６は各種の音声ガイダンス（定型）を記憶し、端末制御部１０２により指定された音声ガイダンスを、通信制御部１０１を介して着信の発信元へ送信する。
【００２３】
Ｐｅｅｒ  ｔｏ  Ｐｅｅｒ処理部１０７は端末制御部１０２の指示によりＰｅｅｒ  ｔｏ  Ｐｅｅｒ接続先登録部１１２に登録されたモニタリング機２へ通信制御部１０１を介してＰｅｅｒ  ｔｏ  Ｐｅｅｒによるデータ送受信を行う。
【００２４】
通話処理部１０８は受話器（図示せず）を含む音声入出力処理部であり、通信制御部１０１からの音声データをデコードして受話器のスピーカから出力し、受話器のマイクの音声信号を音声データにエンコードして通信制御部１０１に渡し、端末制御部１０２の指示によりミキシングした音声データを端末制御部１０２に渡す。
【００２５】
呼出鳴動部１０９は着信の存在を利用者に知らせる着信鳴動音を発するスピーカであり、端末制御部１０２からの制御に応じて鳴動する。
【００２６】
表示部１１０はＬＥＤやＬＣＤ等の表示デバイスを含む表示器であり、端末制御部１０２からの制御に応じて、文字や図形を表示する。
【００２７】
操作部１１１はテンキーやファンクションキー等のキー入力部であり、キー押下によるキー情報を端末制御部１０２に渡す。
【００２８】
Ｐｅｅｒ  ｔｏ  Ｐｅｅｒ接続先登録部１１２はＰｅｅｒ  ｔｏ  Ｐｅｅｒ接続するモニタリング機２の接続情報を登録し、端末制御部１０２の指示に従ってモニタリング機２の接続情報をリード／ライトする。
【００２９】
次に、モニタリング機２の機能ブロックについて説明する。図示するように、モニタリング機２は、無線通信制御部２０１、端末制御部２０２、電話帳登録部２０３、発信元電話番号抽出部２０４、不審番号検索処理部２０５、Ｐｅｅｒ  ｔｏ  Ｐｅｅｒ処理部２０６、呼出鳴動部２０７、表示部２０８、操作部２０９とから構成される。
【００３０】
無線通信制御部２０１は無線基地局５と接続され、端末制御部２０２からの制御に基づきＰｅｅｒ  ｔｏ  Ｐｅｅｒ接続に係る制御全般を行う。
【００３１】
端末制御部２０２は装置内の各ブロックと接続し端末に係る制御全般を行う。
【００３２】
電話帳登録部２０３はモニタリング機２が有する電話帳を登録し、端末制御部２０２からの指示に従って電話帳をリード／ライトする。
【００３３】
発信元電話番号抽出部２０４は無線通信制御部２０１からの着信情報より着信の相手電話番号（以降、発信元電話番号と呼称）を抽出し端末制御部２０２に渡す。
【００３４】
不審番号検索処理部２０５は不審番号ＤＢ６の情報を登録し、端末制御部２０２の指定により無線通信制御部２０１を介して、不審番号ＤＢ６への発信元電話番号検索を行う。
【００３５】
Ｐｅｅｒ  ｔｏ  Ｐｅｅｒ処理部２０６は端末制御部２０２の指示により無線通信制御部２０１を介した着信電話機１とのＰｅｅｒ  ｔｏ  Ｐｅｅｒによるデータ送受信を行う。
【００３６】
呼出鳴動部２０７は着信の存在をモニタリング者に知らせる着信鳴動音を発するスピーカであり、端末制御部２０２からの制御に応じて鳴動する。
【００３７】
表示部２０８はＬＥＤやＬＣＤ等の表示デバイスを含む表示器であり、端末制御部２０２からの制御に応じて、文字や図形を表示する。
【００３８】
操作部２０９はファンクションキー等のキー入力部であり、キー押下によるキー情報を端末制御部２０２に渡す。
【００３９】
図２は、本発明の着信電話機１とモニタリング機２を含む電話システムのシーケンス図である。尚、本シーケンスは、着信電話機１が発着信可能な状態かつモニタリング機２がＰ２Ｐ接続可能な状態で、未登録電話機４が着信電話機１へ発信（ＩＮＶＩＴＥ）したところから開始される。
【００４０】
未登録電話機４からの着信情報（以下、ＩＮＶＩＴＥメッセージと呼称する）を着信電話機１が受信すると（Ｓ２０１）、着信電話機１は、発信元電話番号抽出部１０５で受信したＩＮＶＩＴＥメッセージから発信元電話番号を抽出し、電話帳登録部１０４および着信拒否番号登録部１０３に登録された番号か否かを判定する（Ｓ２０２）。
【００４１】
ここで、着信電話機１には、電話帳登録部１０４および着信拒否番号登録部１０３に登録が無かったものとする。電話帳登録部１０４および着信拒否番号登録部１０３に登録が無いと判定した着信電話機１は、未登録電話機４へ１００Ｔｒｙｉｎｇを送信する（Ｓ２０３）。そして、着信電話機１は、モニタリング機２とのＰ２Ｐ接続を開始するためにモニタリング機２へＰ２Ｐ接続要求を送信する（Ｓ２０４）。着信電話機１からの接続要求を受信すると、モニタリング機２は、Ｐ２Ｐ接続可否の判定を行う（Ｓ２０５）。
【００４２】
ここで、モニタリング機２は、他とのＰ２Ｐ接続がなく接続可能と判定したものとする。接続可能と判定したモニタリング機２は、着信電話機１へＰ２Ｐ接続応答を送信し（Ｓ２０６）、着信電話機１とのＰ２Ｐ通信を確立する（Ｓ２０７）。
【００４３】
モニタリング機２とＰ２Ｐ通信を確立した着信電話機１は、受信したＩＮＶＩＴＥメッセージから抽出した発信元電話番号を含む着信許可要求をモニタリング機２ヘ送信する（Ｓ２０８）。着信許可要求を受信したモニタリング機２は、発信元電話番号抽出部２０４で受信した着信許可要求から発信元電話番号を抽出し、電話帳登録部２０３に登録された番号か否かを判定する（Ｓ２０９）。
【００４４】
ここで、モニタリング機２には、抽出した発信元電話番号が電話帳登録部２０３に登録が無かったものとする。電話帳登録部２０３に登録が無いと判定したモニタリング機２は、外部の不審番号ＤＢ６へ発信元電話番号を含む電話番号検索要求生成し、送信する（Ｓ２１０）。電話番号検索要求を受信した不審番号ＤＢ６は、電話番号検索要求に含まれる発信元電話番号からデータベースを検索し、不審番号ＤＢ６のデータベースに登録された電話番号か否かを判定する（Ｓ２１１）。
【００４５】
ここで、不審番号ＤＢ６は、データベースに登録が無かったものとする。データベースに登録が無いと判定した不審番号ＤＢ６は、データベースに登録無しの内容を含む電話番号検索結果をモニタリング機２へ送信する（Ｓ２１２）。データベースに登録無しの内容を含む電話番号検索結果を受信したモニタリング機２は、呼出鳴動部２０７および表示部２０８へ着信電話機１と未登録電話機４の通話をモニタリングするか否かを問うモニタリング表示（鳴動）を行う（Ｓ２１３）。
【００４６】
ここで、モニタリング機２のユーザが、着信電話機１と未登録電話機４の通話をモニタリングする旨の応答操作をしたとする。ユーザから通話をモニタリングする旨の応答操作を受付けたモニタリング機２は、着信電話機１へ着信許可応答を送信する（Ｓ２１４）。
【００４７】
着信許可応答を受信した着信電話機１は、着信許可と判定し未登録電話機４へ１８０Ｒｉｎｇｉｎｇを送信する（Ｓ２１５）。そして、着信電話機１は、呼出鳴動部１０９および表示部１１０へ着信鳴動・表示を行う（Ｓ２１６）。
【００４８】
ここで、着信電話機１のユーザが、着信鳴動・表示に対してオフフックして着信に応答したとする。オフフックを検知した着信電話機１は、未登録電話機４へ２００ＯＫを送信する（Ｓ２１７）。そして、着信電話機１は、未登録電話機４と呼接続処理を実行し通話を開始する（Ｓ２１８）。
【００４９】
次に、着信電話機１は、未登録電話機４との通話を開始したことを通知する着信応答通知をモニタリング機２へ送信する（Ｓ２１９）。さらに、着信電話機１は、未登録電話機４からの通話音声および自着信電話機１の通話音声のミキシングを開始する（Ｓ２２０）。  
一方、着信応答通知を受信したモニタリング機２は、表示部２０８へ着信音停止・着信応答情報表示を行い、着信電話機１からの受信した通話音声を図示しない受話器から送出して音声データの受話を開始する（Ｓ２２１）。これにより、着信電話機１は、ミキシングした通話音声の送信を開始する（Ｓ２２２）。
【００５０】
ここで、モニタリング機２のユーザが、着信電話機１と未登録電話機４の通話をモニタリング中に未登録電話機４のユーザが不審者と判定し、未登録電話機４との通話を切断する操作を行ったものとする。
【００５１】
ユーザからの切断操作を受付けたモニタリング機２は、通話を切断する旨を含む通話切断指示を着信電話機１へ送信する（Ｓ２２３）。通話切断指示を受信した着信電話機１は、音声ガイダンス送出部１０６より通話不可ガイダンスを未登録電話機４へ送信する（Ｓ２２４）。
【００５２】
ここで、通話不可ガイダンスとは、例えば、「お客様の都合により通話を切断します」という旨の音声メッセージである。
【００５３】
そして、通話不可ガイダンスを送信した着信電話機１は、未登録電話機４へＢＹＥメッセージを送信し未登録電話機４との通話を切断する（Ｓ２２５）。さらに、未登録電話機４との通話を切断した着信電話機１は、モニタリング機２へ通話切断したことを通知する通話切断応答を送信する（Ｓ２２６）。通話切断応答を受信したモニタリング機２は、着信電話機１と確立していたＰ２Ｐ通信を解除する（Ｓ２２７）。そして、着信電話機１は、着信拒否番号登録部１０３へ発信元電話番号を登録する（Ｓ２２８）。
【００５４】
図３は、本発明の着信電話機１のフローチャートである。本フローは、着信電話機１が着信待ちの状態から開始される。
【００５５】
着信を検出（ＩＮＶＩＴＥメッセージを受信）すると（Ｓ３０１：Ｙｅｓ）、着信電話機１は、受信したＩＮＶＩＴＥメッセージから通話相手の発信元電話番号を抽出する（Ｓ３０２）。そして、着信電話機１は、抽出した発信元電話番号が着信拒否番号登録部１０３に登録された着信拒否番号か否かを判定する（Ｓ３０３）。
【００５６】
尚、本実施例では、ステップ３０３で、着信電話機１は、着信拒否番号のみ検索しているが、非通知着信、公衆電話着信、表示圏外着信、相手不明着信に対して、通話不可ガイダンスを送出してもよい。これにより、発信元が不明な着信には人為的な判断を行わず、着信拒否することが出来る効果を奏する。また、このとき、通話不可ガイダンスを送出するのではなく、モニタリング機にてモニタリング可能時のみ通話に応答できるようにしてもよい。これにより、相手不明着信を着信電話機のみで応対しなければならないリスクを無くすことが出来る。
【００５７】
発信元電話番号が着信拒否番号登録部１０３に登録されていなければ（Ｓ３０３：Ｎｏ）、着信電話機１は、発信元電話番号が電話帳登録部１０４に登録された電話番号か否かを判定する（Ｓ３０４）。
【００５８】
尚、本実施例では、ステップ３０４で、着信電話機１は、電話帳登録部１０４に登録された情報のみ検索していると説明したが、不審番号検索処理部を搭載し、不審番号ＤＢ６に問い合わせしてもよい。これにより、着信電話機１でも不審番号ＤＢ６に登録された不審番号を判別することが出来る効果を奏する。
【００５９】
発信元電話番号が電話帳登録部１０４に登録された電話番号であった場合（Ｓ３０４：Ｙｅｓ）、着信電話機１は、１００Ｔｒｙｉｎｇ送信・１８０Ｒｉｎｇｉｎｇ送信を接続要求の発信元（以下、発信元と略す）に送信する（Ｓ３０５）。次に、着信電話機１は、呼出鳴動部１０９にて自着信電話機１の着信鳴動を行う等、従来の電話機が行う通話応答の通話処理を行う（Ｓ３０６）。尚、通話処理は、公知の技術なので具体的な動作については省略する。
【００６０】
着信電話機１は、通話処理が完了すると、従来の電話機が行う切断の処理が為され、発信元に対して切断処理を行い（Ｓ３０７）、本フローを終了する。
【００６１】
発信元電話番号が着信拒否電話番号登録部１０３に登録されていれば（Ｓ３０３：Ｙｅｓ）、着信電話機１は、ステップ３０７を実行して本フローを終了する。
【００６２】
発信元電話番号が電話帳登録部１０４に登録された電話番号でない場合（Ｓ３０４：Ｎｏ）、着信電話機１は、１００Ｔｒｙｉｎｇ送信を発信元に行うことで通話確立を行う（Ｓ３０８）。そして、着信電話機１は、モニタリング機２へＰ２Ｐ接続要求を送信し、Ｐ２Ｐ接続タイマを起動する（Ｓ３０９）。
【００６３】
尚、本実施例では、ステップ３０９で、着信電話機１は、モニタリング機２へＰ２Ｐ接続要求を送信すると説明したが、Ｐ２Ｐ接続要求はＰｅｅｒ  ｔｏ  Ｐｅｅｒ接続先登録部１１２に登録された複数のモニタリング機へ送信してもよい。これにより、複数のモニタリング機と接続し、複数でのモニタリング、着信許可の制御、通話切断の制御を可能とする効果を奏する。
【００６４】
Ｐ２Ｐ接続タイマを起動した着信電話機１は、モニタリング機２へのＰ２Ｐ接続タイマがタイムアウトする、またはＰ２Ｐ接続不可応答を受信する（Ｓ３１０）、またはモニタリング機２からＰ２Ｐ接続要求に対するＰ２Ｐ接続応答を受信する（Ｓ３１２）、の何れかを待つ。
【００６５】
Ｐ２Ｐ接続タイマがタイムアウト（例えば１０秒）した場合、またはＰ２Ｐ接続不可応答を受信した場合（Ｓ３１０：Ｙｅｓ）、着信電話機１は、自動着信応答処理を行い、発信元へ音声ガイダンス送出部１０６から通話不可ガイダンスを送出する（Ｓ３１１）。次に、着信電話機１は、Ｐ２Ｐ通信が確立中か否かの判定を行う（Ｓ３１８）。Ｐ２Ｐ通信が確立中の場合（Ｓ３１８：Ｙｅｓ）、着信電話機１は、モニタリング機２へ切断通知を送信し、確立中のＰ２Ｐ通信を解除する（Ｓ３１９）。さらに、着信電話機１は、ステップ３０７を実行して本フローを終了する。Ｐ２Ｐ通信が確立中でない場合（Ｓ３１８：Ｎｏ）、着信電話機１は、ステップ３０７を実行して本フローを終了する。
【００６６】
Ｐ２Ｐ接続応答を受信した場合（Ｓ３１２：Ｙｅｓ）、着信電話機１は、発信元とのＰ２Ｐ通信を確立する（Ｓ３１３）。そして、着信電話機１は、モニタリング機２へ着信許可要求を送信し、応答待ちタイマを起動する（Ｓ３１４）。
【００６７】
応答待ちタイマを起動した着信電話機１は、応答待ちタイマがタイムアウトする（Ｓ３１５）、または着信拒否応答を受信する（Ｓ３１６）、または着信許可応答を受信する（Ｓ３２０）、の何れかを待つ。
【００６８】
応答待ちタイマがタイムアウトすると（Ｓ３１５：Ｙｅｓ）、着信電話機１は、ステップ３１１へ移行する。ステップ３１１以降の処理は、前述で説明した通りである。着信拒否応答を受信すると（Ｓ３１６：Ｙｅｓ）、着信電話機１は、着信拒否番号登録部１０３へ着信拒否番号登録を行う（Ｓ３１７）。そして、着信電話機１は、ステップ３１８へ移行する。ステップ３１８以降の処理は、前述で説明した通りである。
【００６９】
尚、本実施例では、ステップ３１７で、着信電話機１は、着信拒否番号を登録すると説明したが、このとき未登録電話機４に着信応答不可ガイダンスを送出してもよい。これにより、着信電話機１は特別な操作をすることなく、また着信鳴動もすることなく、モニタリング機２の指示により未登録電話機４からの着信を拒否することが出来る効果を奏する。
【００７０】
着信許可応答を受信すると（Ｓ３２０：Ｙｅｓ）、着信電話機１は、１８０Ｒｉｎｇｉｎｇを発信元に送信し、呼出鳴動部１０９にて着信鳴動を開始し（Ｓ３２１）、オフフック操作検知の監視をしてオフフック操作の検知を待つ（Ｓ３２２）。オフフック操作を検知した場合（Ｓ３２２：Ｙｅｓ）、着信電話機１は、呼出鳴動部１０９にて着信鳴動を停止し、発信元へ２００ＯＫを送信し、通話を開始する（Ｓ３２３）。そして、着信電話機１は、モニタリング機２へ着信応答通知を送信し（Ｓ３２４）、通話処理部１０８で通話音声ミキシングを開始し、ミキシングした音声データのＰ２Ｐ送信を開始する（Ｓ３２５）。
【００７１】
そして、ミキシングした音声データのＰ２Ｐ送信を開始した着信電話機１は、オンフック操作を検知する、または通話切断要求を受信する（Ｓ３２６）、または通話切断指示を受信する（Ｓ３２９）、の何れかを待つ。
【００７２】
オンフック操作を検知する、または通話切断要求を受信すると（Ｓ３２６：Ｙｅｓ）、着信電話機１は、電話帳登録部１０４へ電話帳登録を行う（Ｓ３２７）。そして、着信電話機１は、通話処理部１０８で通話音声のミキシングを停止し、モニタリング機２への音声データのＰ２Ｐ送信を停止する（Ｓ３２８）。そして、着信電話機１は、ステップ３１８へ移行する。ステップ３１８以降の処理は、前述で説明した通りである。
【００７３】
通話切断指示を受信すると（Ｓ３２９：Ｙｅｓ）、着信電話機１は、音声ガイダンス送出部１０６から通話切断ガイダンスを送出する（Ｓ３３０）。そして、着信電話機１は、着信拒否番号登録部１０３へ着信拒否番号の登録を行い、モニタリング機２へ通話切断応答を送信する（Ｓ３３１）。そして、着信電話機１は、ステップ３２８へ移行する。ステップ３２８以降の処理は、前述で説明した通りである。
【００７４】
尚、本実施例では、ステップ３３１で、着信電話機１は、モニタリング機２へ通話切断応答を送信すると説明したが、着信電話機１の発信元着信履歴情報を削除してもよい。これにより、通話を切断した相手への誤発信を防止することが出来る効果を奏する。
【００７５】
図４は、本発明のモニタリング機２のフローチャートである。本フローは、モニタリング機２がＰ２Ｐ接続要求受信待ちの状態から開始される。
【００７６】
Ｐ２Ｐ接続要求を受信すると（Ｓ４０１：Ｙｅｓ）、モニタリング機２は、Ｐ２Ｐ接続可能な状態か否かを判定する（Ｓ４０２）。Ｐ２Ｐ接続が不可能な場合（Ｓ４０２：Ｎｏ）、モニタリング機２は、着信電話機１へＰ２Ｐ接続不可応答を送信し（Ｓ４２７）、本フローを終了する。Ｐ２Ｐ接続が可能な場合（Ｓ４０２：Ｙｅｓ）、モニタリング機２は、着信電話機１へＰ２Ｐ接続応答を送信し（Ｓ４０３）、Ｐ２Ｐ通信を確立する（Ｓ４０４）。
【００７７】
尚、本実施例では、ステップ４０３で、モニタリング機２は、着信電話機１へＰ２Ｐ接続応答を送信すると説明したが、Ｐ２Ｐ接続応答は複数の着信電話機へ送信してもよい。これにより、複数の着信電話機と接続し、複数での着信許可の制御、通話切断の制御を可能とする効果を奏する。
【００７８】
着信電話機１から着信許可要求を受信すると（Ｓ４０５）、モニタリング機２は、受信した着信許可要求から通話相手の発信元電話番号を抽出する（Ｓ４０６）。そして、モニタリング機２は、抽出した発信元電話番号が電話帳登録部２０３に登録された電話番号か否かを判定する（Ｓ４０７）。
【００７９】
発信元電話番号が電話帳登録部２０３に登録された電話番号であった場合（Ｓ４０７：Ｙｅｓ）、モニタリング機２は、着信電話機１へ着信許可応答を送信する（Ｓ４０８）。そして、モニタリング機２は、着信電話機１からの着信応答通知の受信を待つ（Ｓ４０９）。着信応答通知を受信した場合（Ｓ４０９：Ｙｅｓ）、モニタリング機２は、表示部２０８に着信応答情報を表示し、着信電話機１から受信した音声データの受話を開始する（Ｓ４１０）。
【００８０】
尚、本実施例では、ステップ４１０でモニタリング機２が表示部２０８に着信応答情報を表示し、音声受話を開始すると説明したが、音声録音処理部を搭載し、受信する音声の録音をしてもよい。これにより、悪質電話の通話内容を記録し、悪質電話会社を摘発する際の情報提供に貢献する効果を奏する。
【００８１】
そして、モニタリング機２は、着信電話機１からの切断通知を受信する（Ｓ４１１）、またはモニタリング機２のユーザの切断操作を検知する（Ｓ４１２）、またはモニタリング機２のユーザの切断指示操作を検知する（Ｓ４１３）、の何れかを待つ。着信電話機１からの切断通知を受信すると（Ｓ４１１：Ｙｅｓ）、モニタリング機２は、従来の機器が行うＰ２Ｐ通信の解除を行い（Ｓ４１４）、本フローを終了する。
【００８２】
切断操作を検知すると（Ｓ４１２：Ｙｅｓ）、モニタリング機２は、着信電話機１へ通話切断要求を送信する（Ｓ４１５）。そして、モニタリング機２は、ステップ４１４に移行して本フローを終了する。
【００８３】
切断指示操作を検知すると（Ｓ４１３：Ｙｅｓ）、モニタリング機２は、着信電話機１へ通話切断指示を送信する（Ｓ４１６）。そして、モニタリング機２は、着信電話機１からの通話切断応答の受信を待つ（Ｓ４１７）。着信電話機１からの通話切断応答を受信した場合（Ｓ４１７：Ｙｅｓ）、モニタリング機２は、ステップ４１４に移行して本フローを終了する。
【００８４】
発信元電話番号が電話帳登録部２０３に登録された電話番号でない場合（Ｓ４０７：Ｎｏ）、モニタリング機２は、不審番号ＤＢ６へ電話番号検索要求を送信し（Ｓ４１８）、検索結果待ちタイマを起動する（Ｓ４１９）。モニタリング機２は、検索結果待ちタイマがタイムアウトしている（Ｓ４２０）、または電話番号検索結果を受信する（Ｓ４２１）、の何れかを待つ。検索結果待ちタイマがタイムアウトしている場合（Ｓ４２０：Ｙｅｓ）、モニタリング機２は、ステップ４１１へ移行する。ステップ４１１以降の処理は、前述で説明した通りである。電話番号検索結果を受信した場合（Ｓ４２１：Ｙｅｓ）、モニタリング機２は、不審番号ＤＢ６に登録があるか否かを判定する（Ｓ４２２）。不審番号ＤＢ６に登録がない場合（Ｓ４２２：Ｎｏ）、モニタリング機２は、呼出鳴動部２０７にて鳴動してモニタリング表示を開始し（Ｓ４２３）、応答待ちタイマを起動する（Ｓ４２４）。
【００８５】
尚、本実施例では、ステップ４２３で、モニタリング機２が呼出鳴動部２０７においてモニタリング表示すると説明したが、別の不審番号ＤＢのアドレスを予めモニタリング機２に登録しておき、順番に検索するようにしてもよい。これにより、複数の不審番号ＤＢと接続し、相手先不明な着信呼への人為的判断をより低減させる効果を奏する。
【００８６】
また、ステップ４２３のモニタリング表示後、パスワード入力画面を表示し、パスワードを入力した場合のみ応答操作を行なえるとしてもよい。これにより、通話の応答可否やモニタリングを特定の人物のみ操作可能とすることで、秘匿性を向上させる効果を奏する。
【００８７】
モニタリング機２は、モニタリング表示に対して応答操作を検知する（Ｓ４２５）、または応答待ちタイマがタイムアウトする（Ｓ４２６）、の何れかを待つ。応答操作を検知した場合（Ｓ４２５：Ｙｅｓ）、モニタリング機２は、ステップ４０８へ移行する。ステップ４０８以降の処理は、前述で説明した通りである。応答待ちタイマがタイムアウトしている場合（Ｓ４２６：Ｙｅｓ）、モニタリング機２は、ステップ４１１へ移行する。ステップ４１１以降の処理は、前述で説明した通りである。
【００８８】
不審番号ＤＢ６に登録がある場合（Ｓ４２２：Ｙｅｓ）、モニタリング機２は、着信電話機１へ着信拒否応答を送信し（Ｓ４２８）、ステップ４１１へ移行する。ステップ４１１以降の処理は、前述で説明した通りである。
【００８９】
尚、ステップ４０８の着信許可応答を送信する際、またはステップ４１６の通話切断指示を送信する際、またはステップ４２８の着信拒否応答を送信する際、着信電話機１へ着信電話番号を電話帳へ登録するよう電話帳登録要求を送信してもよい。要求を受けた着信電話機１は、電話帳登録状態へ移行することで、不審番号や未登録番号を電話帳登録する効果を奏する。
【００９０】
以上、本実施例について説明した。
【００９１】
本発明の実施の形態によれば、着信電話機１は、未登録電話機４からの着信に対して着信拒否番号登録部１０３と電話帳登録部１０４が未登録と判定すると、Ｐｅｅｒ  ｔｏ  Ｐｅｅｒ処理部１０７を介し事前にＰｅｅｒ  ｔｏ  Ｐｅｅｒ接続先登録部１１２に登録されたモニタリング機２へＰｅｅｒ  ｔｏ  Ｐｅｅｒ通信を開始する。そして、着信電話機１は、未登録電話機４との音声通話情報を、モニタリング機２へ送信することができる。
【００９２】
これにより、着信電話機１は、通常の着信応答操作をするだけで、モニタリング機２へ未登録電話機４との通話音声を送信でき、通話内容の監視ができる。
【００９３】
また、本発明の実施の形態によれば、着信電話機１は、Ｐｅｅｒ  ｔｏ  Ｐｅｅｒ処理部１０７がＰｅｅｒ  ｔｏ  Ｐｅｅｒ通信開始要求コマンドに対して、モニタリング機２からの応答を受信できないと、呼出鳴動部１０９および表示部１１０による着信表示を行わない。
【００９４】
これにより、着信電話機１は、未登録電話機４からの着信に対してモニタリング機２による通話モニタなしでの通話を遮断することができる。
【００９５】
また、本発明の実施の形態によれば、モニタリング機２は、操作部２０９がＰｅｅｒ  ｔｏ  Ｐｅｅｒ通信開始要求コマンドに対して応答すると、Ｐｅｅｒ  ｔｏ  Ｐｅｅｒ処理部１０７がＰｅｅｒ  ｔｏ  Ｐｅｅｒ通信開始要求コマンド応答を着信電話機１へ送信する。そして、着信電話機１とモニタリング機２は、Ｐｅｅｒ  ｔｏ  Ｐｅｅｒ通信を開始し、着信電話機１の通話音声をモニタリング機２によって通話モニタすることができる。
【００９６】
これにより、モニタリング機２は、未登録電話機４に着信電話機１との通話音声をモニタリングされていると気づかれることなく通話音声のモニタリングを行うことができる。
【００９７】
また、本発明の実施の形態によれば、着信電話機１は、モニタリング機２からのＰ２Ｐ接続不可応答または通話切断指示をＰｅｅｒ  ｔｏ  Ｐｅｅｒ処理部１０７で受信すると、音声ガイダンス送出部１０６を介し未登録電話機４へ音声ガイダンスを送出する。
【００９８】
これにより、未登録電話機４は、なぜ通話が切断されたのかを知ることができる。
【００９９】
また、本発明の実施の形態によれば、着信電話機１は、モニタリング機２からの通話切断指示をＰｅｅｒ  ｔｏ  Ｐｅｅｒ処理部１０７で受信すると、未登録電話機４との通話切断処理を実施する。そして、着信拒否番号登録部１０３へ未登録電話機４の情報を登録する。
【０１００】
これにより、着信電話機１は、モニタリング機２により不審着信と判定された相手情報を、自動的に着信拒否リストへ登録することができる。
【０１０１】
また、本発明の実施の形態によれば、モニタリング機２は、着信電話機１からの着信許可要求をＰｅｅｒ  ｔｏ  Ｐｅｅｒ処理部２０６で受信することにより、不審番号ＤＢへ電話番号検索要求を送信する。
【０１０２】
これにより、自端末に登録されていない不審番号を検出でき、着信に応答せずに拒否することができる。
【符号の説明】
【０１０３】
１・・・着信電話機、２・・・モニタリング機、３・・・ＩＰ網、４・・・未登録電話機、５・・・無線基地局、６・・・不審番号ＤＢ、１０１・・・通信制御部、１０２・・・端末制御部、１０３・・・着信拒否番号登録部、１０４・・・電話帳登録部、１０５・・・発信元電話番号抽出部、１０６・・・音声ガイダンス送出部、１０７・・・Ｐｅｅｒ  ｔｏ  Ｐｅｅｒ処理部、１０８・・・通話処理部、１０９・・・呼出鳴動部、１１０・・・表示部、１１１・・・操作部、１１２・・・Ｐｅｅｒ  ｔｏ  Ｐｅｅｒ接続先登録部、２０１・・・無線通信制御部、２０２・・・端末制御部、２０３・・・電話帳登録部、２０４・・・発信元電話番号抽出部、２０５・・・不審番号検索処理部、２０６・・・Ｐｅｅｒ  ｔｏ  Ｐｅｅｒ処理部、２０７・・・呼出鳴動部、２０８・・・表示部、２０９・・・操作部
【図１】
2015082785.tif 000003
【図２】
2015082785.tif 000004
【図３】
2015082785.tif 000005
【図４】
2015082785.tif 000006